(57)【要約】【課題】子供が車内に残されるのを防止するためのアプリケーションを搭載したスマートフォンである。【解決手段】速度計、データ処理センター、タッチスクリーン、マイクロフォン、及びスピーカーを含むスマートフォンと、子供が車内に残されるのを防止するためのアプリケーションと、を備える。速度計が車速を測定し、車速データを前記アプリケーションに報告し、車速が第１速度から第２速度に上がると、前記アプリケーションが車内に子供がいるか否かの注意をドライバに発し、車速が第３速度から０まで下がると、前記アプリケーションが車内から子供を連れて出すとの警告をドライバに発するよう、アプリケーションがプログラムされる。【選択図】図２
2017139739.tif 000002
【特許請求の範囲】
【請求項１】
子供が車内に残されるのを防止するためのアプリケーションを搭載したスマートフォンであって、
速度計、データ処理センター、タッチスクリーン、マイクロフォン、及びスピーカーを含むスマートフォンと、
子供が車内に残されるのを防止するためのアプリケーションと、を備え、
前記速度計が車速を測定し、車速データを前記アプリケーションに報告し、車速が第１速度から第２速度に上がると、前記アプリケーションが車内に子供がいるか否かの注意をドライバに発し、車速が第３速度から０まで下がると、前記アプリケーションが車内から子供を連れて出すとの警告をドライバに発する、
ことを特徴とする子供が車内に残されるのを防止するためのアプリケーションを搭載したスマートフォン。
【請求項２】
下記のステップを含む処理を実行させるよう、前記アプリケーションがプログラムされ、
ステップ１、前記速度計が車速を測定し、車速データを前記アプリケーションに報告し、
ステップ２、車速が第１速度から第２速度に上がると、前記アプリケーションが車内に子供がいるか否かの注意を前記データ処理センターに発し、
ステップ３、前記注意を受けると、前記データ処理センターは前記注意を知らせるよう前記タッチスクリーンまたは前記スピーカーに命じ、
ステップ４、ドライバが前記注意に対し「イエス」または「ノー  アンサー」を前記マイクロフォンまたは前記タッチスクリーンに回答し、プログラムがステップ１に戻り、処理を進め、ドライバが「ノー」と答えると、車内に子供がいないということで、プログラムが終了し、
ステップ５、車速が第３速度から０まで下がると、前記アプリケーションが車内から子供を連れて出すとの警告を前記データ処理センターに発し、
ステップ６、前記データ処理センターは前記警告を発するよう前記タッチスクリーンまたは前記スピーカーに命じ、
ステップ７、前記警告に対して、ドライバが「イエス」と答えると、前記アプリケーションが終了し、前記警告に対して、アンサーがなければ、ドライバが「イエス」と答えるまで、前記警告を繰り返し、前記警告に対して、ドライバが「延期」と答えると、前記アプリケーションがステップ５に戻り、処理を進める、
ことを特徴とする請求項１に記載の子供が車内に残されるのを防止するためのアプリケーションを搭載したスマートフォン。
【請求項３】
第１速度＝０マイル／時、第２速度＞０マイル／時、第３速度＞０マイル／時、である、
ことを特徴とする請求項２に記載の子供が車内に残されるのを防止するためのアプリケーションを搭載したスマートフォン。
【請求項４】
第１速度＝６マイル／時で、第２速度＝８マイル／時で、第３速度＝５マイル／時、である、
ことを特徴とする請求項２に記載の子供が車内に残されるのを防止するためのアプリケーションを搭載したスマートフォン。
【請求項５】
前記注意または前記警告は、文語、音声、閃光、振動またはこれらの組み合わせである、
ことを特徴とする請求項２に記載の子供が車内に残されるのを防止するためのアプリケーションを搭載したスマートフォン。
【請求項６】
警告を２０回繰り返してもドライバからアンサーがなければ、子供の親戚の他のスマートフォンに警告を自動的に送る、
ことを特徴とする請求項２に記載の子供が車内に残されるのを防止するためのアプリケーションを搭載したスマートフォン。
【請求項７】
警告を４０回繰り返してもドライバからアンサーがなければ、前記スマートフォンが緊急通報電話９１１に警告を自動的に送る、
ことを特徴とする請求項２に記載の子供が車内に残されるのを防止するためのアプリケーションを搭載したスマートフォン。
【発明の詳細な説明】
【技術分野】
【０００１】
本発明は、電子通信分野に属する。特に、本発明は電子警報装置の分野に関する。
【背景技術】
【０００２】
施錠された車内に子供を一人で放置するのは、特に夏期や冬期において危険である。高温の（又は凍えるような）車内で熱中症や低体温症又は窒息によって多くの子供が死亡したことで、多くの家族が悲劇にみまわれた。これらの悲劇の多くは、子供を持つ親やドライバの行為によって故意になされたものではなく、彼らの不注意や忘れっぽさによるものである。時として、親は子供を買い物に連れて行き、子供が車内で寝てしまうと、多くの家事が残されている忙しい親は急いで買い物に走り、車内で寝ている子供のことを忘れてしまう。親は車を施錠し、その結果、大変な不幸が起こる。施錠され猛烈に暑い車内で子供が窒息して死亡してしまうのである。親は自分の行為に対する法的責任を負わなければならない。時として、このような親たちは子供を失うだけでなく自分の家族を崩壊してしまう。
【０００３】
人々は、子供が車内に残されるのを防止するためのドライバアラームを望んでいる。ドライバアラームは、親／ドライバが車を離れる際に子供が車内にいることを自動的に知らせるので、このような悲劇を回避できる。従って、子供が車内に閉じ込められるのを防止するためのドライバアラームは非常に重要である。
【発明の概要】
【発明が解決しようとする課題】
【０００４】
この種の発明は以前から存在するが市場には出回っていない。その主な理由は、これらの発明は複雑で、特に設置が面倒で一般人が導入できないからである。
【０００５】
このような理由から、子供が車内に残されるのを防止するための方法及びこれに係る機器であって、使用が容易で信頼性を有するものを発明することが重要である。
【課題を解決するための手段】
【０００６】
子供が車内に残されるのを防止するためのアプリケーションを搭載したスマートフォンであって、
速度計、データ処理センター、タッチスクリーン、マイクロフォン、及びスピーカーを含むスマートフォンと、
子供が車内に残されるのを防止するためのアプリケーション（以下、アプリケーションと称する。）と、を備え、
前記速度計が車速を測定し、速度データを前記アプリケーションに報告し、車速が第１速度から第２速度に上がると、前記アプリケーションが車内に子供がいるか否かの注意をドライバに発し、車速が第３速度から０まで下がると、前記アプリケーションが車内から子供を連れて出すとの警告をドライバに発する。
【０００７】
より具体的に、下記のステップを含む処理を実行させるよう、アプリケーションがプログラムされ、
ステップ１、前記速度計が車速を測定し、速度データを前記アプリケーションに報告し、
ステップ２、車速が第１速度から第２速度に上がると、前記アプリケーションが車内に子供がいるか否かの注意を前記データ処理センターに発し、
ステップ３、前記注意を受けると、前記データ処理センターは前記注意を知らせるよう前記タッチスクリーンまたは前記スピーカーに命じ、
ステップ４、ドライバが「イエス」または「ノー  アンサー」を前記マイクロフォンまたは前記タッチスクリーンからの前記注意に対し前記データ処理センターへ回答し、もし「イエス」ならばプログラムがステップ１に戻り、処理を進め、ドライバが「ノー」と答えると、車内に子供がいないということで、プログラムが終了し、
ステップ５、車速が第３速度から０まで下がったことを前記アプリケーションが検知すると、前記アプリケーションが車内から子供を連れて出すとの警告を前記データ処理センターに発し、
ステップ６、前記データ処理センターは警告を発するよう前記タッチスクリーンまたは前記スピーカーに命じ、
ステップ７、ドライバが「イエス」と前記警告に答えると、前記アプリケーションが終了し、前記警告に対して、アンサーがなければ、ドライバが「イエス」と答えるまで、警告を繰り返し、前記警告に対して、ドライバが「延期」と答えると、前記アプリケーションがステップ５に戻り、処理を進め、
ステップ８、警告を２０回より多く繰り返してもアンサーがなければ、前記スマートフォンが、子供の親戚のスマートフォンまたは緊急通報電話９１１に警告を自動的に送る。
【０００８】
子供が車内に残されるのを防止するためのアプリケーションを搭載したスマートフォンは、子供が車内に残されるのを防止するためのアプリケーションをダウンロードした任意のスマートフォンで実現できる。コストが安く、使い方も非常に便利である。
【図面の簡単な説明】
【０００９】
【図１】子供が車内に残されるのを防止するためのアプリケーションを搭載したスマートフォンの構造を示す略図である。
【図２】子供が車内に残されるのを防止するためのアプリケーションの工作図である。
【発明を実施するための形態】
【００１０】
図１に示すように、子供が車内に残されるのを防止するためのアプリケーションを搭載したスマートフォンは、一般のスマートフォンと子供が車内に残されるのを防止するためのアプリケーションとを含む。スマートフォンは、速度計１、データ処理センター３、タッチスクリーン４、マイクロフォン５、スピーカー６および子供が車内に残されるのを防止するためのアプリケーション２を含む。タッチスクリーン４は画像を表示することができ、スマートフォンへデータを入力するためのキーボードにも用いられる。
【００１１】
図２に示すように、ドライバが子供の車内に残されるのを防止するためのアプリケーションを搭載したスマートフォンを持って車を運転すると、アプリケーション２が起動され、処理を開始する。
【００１２】
ステップ１において、速度計１は車速を測定し、速度データをアプリケーション２に報告する。
【００１３】
ステップ２において、車速が第１速度から第２速度に上がると、アプリケーション２が車内に子供がいるか否かの注意をデータ処理センター３に発する。この注意は一回だけ送られる。ドライバはこの注意の内容を予め設定でき、第１速度と第２速度をも設定できる。一つの実施例において、第１速度が０マイル／時で、第２速度が０マイル／時より速い。他の実施例において、第１速度が６マイル／時で、第２速度が８マイル／時である。
【００１４】
ステップ３において、前記の注意を受けると、データ処理センター３は注意を知らせるようタッチスクリーン４またはスピーカー６に命じる。ドライバの設定に従って、文語、音声、閃光、振動またはこれらの組み合わせで注意を知らせることができる。
【００１５】
ステップ４において、この注意に対して、ドライバが「イエス」または「ノー  アンサー」をマイクロフォン５またはタッチスクリーン４に回答し、プログラムがステップ１に戻り、処理を進める。この注意に対して、ドライバが「イエス」と答えると、車内に子供がいるということである。この注意に対して、「ノー  アンサー」はドライバが注意を聞かなかったということである。ドライバが「ノー」と答えると、プログラムが終了し、車内に子供がいないということである。
【００１６】
ステップ５において、車速が第３速度から０まで下がったことをアプリケーション２が検知すると、アプリケーション２が車内から子供を連れて出すとの警告をデータ処理センター３に発する。ドライバは第３速度を予め設定できる。一つの実施例において、第３速度は０マイル／時より速い。他の実施例において、第３速度は５マイル／時である。ドライバはこの警告の内容を予め設定できる。車速が第３速度から０まで下がるのは、車が赤信号で止められるか、車が目的地に到着するかということである。
【００１７】
ステップ６において、データ処理センター３は警告を発するようタッチスクリーン４またはスピーカー６に命じる。ドライバの設定に従って、文語、音声、閃光、振動またはこれらの組み合わせで警告を発することができる。
【００１８】
ステップ７において、ドライバが警告に対して「イエス」と答えると、アプリケーション２が終了する。この警告に対して、アンサーがなければ、「イエス」と答えるまで、警告を繰り返す。この警告に対して、ドライバが「延期」と答えると、アプリケーション２がステップ５に戻り、処理を進める。この警告に対して、ドライバが「イエス」と答えると、ドライバが警告を受け止め、車内から子供を連れて出すということである。警告に対して「ノー  アンサー」はドライバが警告を聞かなかったということである。ドライバの「延期」回答は、例えば赤信号で車が一時止められるということである。
【００１９】
ステップ８において、警告を２０回繰り返してもドライバからアンサーがなければ、このスマートフォンは子供の親戚の他のスマートフォンに警告を自動的に送る。警告を４０回繰り返してもドライバからアンサーがなければ、このスマートフォンは緊急通報電話９１１に警告を自動的に送る。
【００２０】
（付記）
（付記１）
子供が車内に残されるのを防止するためのアプリケーションを搭載したスマートフォンであって、
速度計、データ処理センター、タッチスクリーン、マイクロフォン、及びスピーカーを含むスマートフォンと、
子供が車内に残されるのを防止するためのアプリケーションと、を備え、
前記速度計が車速を測定し、車速データを前記アプリケーションに報告し、車速が第１速度から第２速度に上がると、前記アプリケーションが車内に子供がいるか否かの注意をドライバに発し、車速が第３速度から０まで下がると、前記アプリケーションが車内から子供を連れて出すとの警告をドライバに発する、
ことを特徴とする子供が車内に残されるのを防止するためのアプリケーションを搭載したスマートフォン。
【００２１】
（付記２）
下記のステップを含む処理を実行させるよう、前記アプリケーションがプログラムされ、
ステップ１、前記速度計が車速を測定し、車速データを前記アプリケーションに報告し、
ステップ２、車速が第１速度から第２速度に上がると、前記アプリケーションが車内に子供がいるか否かの注意を前記データ処理センターに発し、
ステップ３、前記注意を受けると、前記データ処理センターは前記注意を知らせるよう前記タッチスクリーンまたは前記スピーカーに命じ、
ステップ４、ドライバが前記注意に対し「イエス」または「ノー  アンサー」を前記マイクロフォンまたは前記タッチスクリーンに回答し、プログラムがステップ１に戻り、処理を進め、ドライバが「ノー」と答えると、車内に子供がいないということで、プログラムが終了し、
ステップ５、車速が第３速度から０まで下がると、前記アプリケーションが車内から子供を連れて出すとの警告を前記データ処理センターに発し、
ステップ６、前記データ処理センターは前記警告を発するよう前記タッチスクリーンまたは前記スピーカーに命じ、
ステップ７、前記警告に対して、ドライバが「イエス」と答えると、前記アプリケーションが終了し、前記警告に対して、アンサーがなければ、ドライバが「イエス」と答えるまで、前記警告を繰り返し、前記警告に対して、ドライバが「延期」と答えると、前記アプリケーションがステップ５に戻り、処理を進める、
ことを特徴とする付記１に記載の子供が車内に残されるのを防止するためのアプリケーションを搭載したスマートフォン。
【００２２】
（付記３）
第１速度＝０マイル／時、第２速度＞０マイル／時、第３速度＞０マイル／時、である、
ことを特徴とする付記２に記載の子供が車内に残されるのを防止するためのアプリケーションを搭載したスマートフォン。
【００２３】
（付記４）
第１速度＝６マイル／時で、第２速度＝８マイル／時で、第３速度＝５マイル／時、である、
ことを特徴とする付記２に記載の子供が車内に残されるのを防止するためのアプリケーションを搭載したスマートフォン。
【００２４】
（付記５）
前記注意または前記警告は、文語、音声、閃光、振動またはこれらの組み合わせである、
ことを特徴とする付記２に記載の子供が車内に残されるのを防止するためのアプリケーションを搭載したスマートフォン。
【００２５】
（付記６）
警告を２０回繰り返してもドライバからアンサーがなければ、子供の親戚の他のスマートフォンに警告を自動的に送る、
ことを特徴とする付記２に記載の子供が車内に残されるのを防止するためのアプリケーションを搭載したスマートフォン。
【００２６】
（付記７）
警告を４０回繰り返してもドライバからアンサーがなければ、前記スマートフォンが緊急通報電話９１１に警告を自動的に送る、
ことを特徴とする付記２に記載の子供が車内に残されるのを防止するためのアプリケーションを搭載したスマートフォン。
【図１】
2017139739.tif 000003
【図２】
2017139739.tif 000004
【外国語明細書】
2017139739000001.pdf